(57)【要約】      （修正有）【課題】人体内に流れ込み問題を生じるおそれのある金属片の発生がないように、内針及びカシメピンを合成樹脂にて製造した留置針を提供する。【解決手段】液、輸血、採血、人工透析等を行うために使用され、内部空間２１を有する基部２２と、基部に配されて内部空間の一端を閉鎖する内栓２５と、基部の先端から延出し、内部空間と連通する貫通孔２７を有する合成樹脂からなる外針２４と、内栓、内部空間及び貫通孔を貫通して外針から延出する内針３１と、基部に配され、内針を基部に移動自在に保持するカシメピン２６とを少なくとも具備する留置針１において、内針３１及びカシメピン２６を、合成樹脂によって形成した。【選択図】図１
0003197175.tif 000002
【実用新案登録請求の範囲】
【請求項１】
輸液、輸血、採血、人工透析等を行うために使用され、内部空間を有する基部と、該基部に配されて前記内部空間の一端を閉鎖する内栓と、前記基部の先端から延出し、前記内部空間と連通する貫通孔を有する合成樹脂からなる外針と、前記内栓、前記内部空間及び前記貫通孔を貫通して前記外針から延出する内針と、前記基部に配され、前記内針を前記基部に移動自在に保持するカシメピンとを少なくとも具備する留置針において、
前記内針及び前記カシメピンを、合成樹脂によって形成したことを特徴とする留置針。
【考案の詳細な説明】
【技術分野】
【０００１】
本考案は、輸液、輸血、採血、人工透析等を行うために使用される留置針に関する。
【背景技術】
【０００２】
特許文献１（実開平２−１１６０号公報）に開示される留置針は、金属製の内針とプラスチック製の外針を有し、前記プラスチック針の針基に折り曲げ可能な程度の硬度を有する半硬質の翼を一体的に形成したものである。このように、この特許文献１は、留置針が、金属製の内針とプラスチック製の外針を具備することを開示する。
【０００３】
特許文献２（特開２００４−３０５４６７号公報）は、留置針及びハウジングが、同一のプラスチック材料により、それぞれ射出成形されることを開示する。また、この特許文献２は、雌ルアーのガイド、栓体、留置針に挿脱自在に挿通されて、留置針から前方に突出する穿刺針が開示され、この穿刺針がステンレスやニッケル・チタン合金により一体に形成されていることが開示される。また、穿刺針を保持するガイドが、ステンレスやニッケル・チタン合金等により一体形成されていることも開示する。
【０００４】
特許文献３（特開２００６−２４６９８５号公報）は、留置針が、プラスチック製の外筒針と、アルミ、アルミ合金、チタン及びチタン合金などからなる金属製の内針とを有することを開示する。
【先行技術文献】
【特許文献】
【０００５】
【特許文献１】実開平２−１１６０号公報
【特許文献２】特開２００４−３０５４６７号公報
【特許文献３】特開２００６−２４６９８５号公報
【考案の概要】
【考案が解決しようとする課題】
【０００６】
以上のように、従来の留置針において、外針がプラスチック製であるのに対して内針は金属製であり、この金属製の内針をガイドするガイド部、いわゆるカシメピンも金属製である場合が多い。この場合、内針を外針に対して抜き差しすると、内針と前記カシメピンとが擦れることから、微細な金属片が発生するというおそれが生じる。この微細な金属片が輸血血液や薬剤に紛れて人体内に流れ込み問題を生じる場合が想定される。さらに、これを防止するためにカシメピンの内側や内針の外側にシリコンを塗布して金属と金属の摩擦発生を防ぐ対策をとっているが、余分な工程とコストアップにつながるという問題点がある。
【０００７】
以上のことから、本考案は、留置針において、金属片の発生がないように、内針及びカシメピンを合成樹脂にて製造した留置針を提供するものである。
【課題を解決するための手段】
【０００８】
本考案は、輸液、輸血、採血、人工透析等を行うために使用され、内部空間を有する基部と、該基部に配されて前記内部空間の一端を閉鎖する内栓と、前記基部の先端から延出し、前記内部空間と連通する貫通孔を有する合成樹脂からなる外針と、前記内栓、前記内部空間及び前記貫通孔を貫通して前記外針から延出する内針と、前記基部に配され、前記内針を前記基部に移動自在に保持するカシメピンとを少なくとも具備する留置針において、前記内針及び前記カシメピンを、合成樹脂によって形成したことにある。
【０００９】
これによって、内針と内針を移動自在に保持するカシメピンとを合成樹脂によって形成したことにより、金属片の発生を防止できるものである。
【考案の効果】
【００１０】
本考案によれば、内針と内針を移動自在に保持するカシメピンとを合成樹脂により形成したことにより、金属片の発生を防止できるため、微細な金属片の混入によって被験者の身体に及ぼす悪影響を防止できるものである。
【図面の簡単な説明】
【００１１】
【図１】図１は本考案に係る留置針の一例を示した説明断面図である。
【図２】図２は、図１で示された例に基づく留置針の内針を引き抜く段階を示した説明断面図である。
【図３】図３（ａ）は、図１で示した例に基づく留置針の外針部を示した説明断面図であり、図３（ｂ）は、図１で示した例に基づく留置針の内針部を示した説明断面図である。
【考案を実施するための形態】
【００１２】
以下、本考案の実施例に係る留置針について、その一例を図面により説明する。
【実施例】
【００１３】
本考案の一例に係る留置針１は、図１乃至図３に示すように、外針部２と内針部３とによって構成される。
【００１４】
外針部２は、例えば図３（ａ）に示すように、内部空間２１を画成する円筒状の基部２２と、この基部２２の先端側に漸次縮径されて形成された先端部２３と、この先端部２３から突出するように形成された外針２４と、前記内部空間２１の一方を画成する内栓（内栓ゴム）２５と、前記先端部２３に固着され、下記する内針３１を移動自在に保持するカシメピン２６とを少なくとも具備する。この実施例では、カシメピン２６と前記先端部２３との間で、前記外針２４の内側端を保持するようにしたものである。
【００１５】
また、前記内部空間２１は、例えば、輸液や輸血等を行う場合に、薬剤や血液を供給するチューブと接続されて、薬剤や血液が収容されるものである。さらに、前記内栓ゴム２５は、内針３１が内栓ゴム２５から引き抜かれた場合に、その弾性力によって内針３１が通過するための挿通孔２８が閉鎖され、内部空間２１からの漏れを防止するようになっている。
【００１６】
前記内針部３は、前記内栓ゴム２５から内部空間２１、さらにカシメピン２６を介して、前記外針２４の貫通孔２７を貫通して、外針２４から延出する内針３１と、この内針３１の基端部３１ａを固定保持すると共に前記基部２２の後端に装着される基端部３２とを少なくとも具備するものであり、この実施例では、さらに前記基端部３２に、内針３１を抜き差しするためのノブ３３を具備するものである。
【００１７】
従来、外針部２の基部２２、外針２４は合成樹脂によって成形されるものであり、内針部３の基端部３２及びノブ３３も同様に合成樹脂によって成形されている。
【００１８】
本考案では、従来金属製であった内針３１及びカシメピン２６を合成樹脂で形成したものである。これによって、図２に示すように、本考案に係る留置針１は、内針部３を外針部２に対して着脱する場合の微細な金属片の発生を完全に防止することができるものである。
【符号の説明】
【００１９】
１  留置針
２  外針部
３  内針部
２１  内部空間
２２  基部
２３  先端部
２４  外針
２５  内栓ゴム
２６  カシメピン
２７  貫通孔
３１  内針
３２  基端部
３３  ノブ
【図１】
0003197175.tif 000003
【図２】
0003197175.tif 000004
【図３】
0003197175.tif 000005